(57)【要約】【課題】浴室ユニットの好適なる設置を実現することができる浴室ユニットの設置方法、及び浴室用の建物ユニットを提供する。【解決手段】浴室ユニットにはその下方に延び、長さ調整機能を有する複数のボルト脚２５が設けられている。建物ユニットの受け小梁及び床大梁にはそれぞれボルト脚２５を載置状態で支持する受け金具１５が複数取り付けられている。建物施工現場への搬送前に、浴室ユニットのボルト脚２５を受け金具１５の上面に載置させることで、浴室ユニットを建物ユニットに組み付ける工程と、同じく建物施工現場への搬送前に、受け金具１５の上面においてボルト脚２５を仮固定具を用いて仮固定する工程と、建物施工現場への搬送後に、ボルト脚２５の長さ調整によるユニット高さのレベル調整を行う工程と、その後、受け金具１５の上面におけるボルト脚２５の載置位置で、当該ボルト脚２５を受け金具１５に対して本固定する工程と、を実施する。【選択図】      図６
2014125860.tif 000002
【特許請求の範囲】
【請求項１】
建物ユニットに対して浴室ユニットを設置する浴室ユニットの設置方法であって、
前記浴室ユニットにはその下方に延び、長さ調整機能を有する複数の脚部材が設けられており、
前記建物ユニットの床梁には前記脚部材を載置状態で支持する支持部材が複数取り付けられており、
建物施工現場への搬送前に、前記浴室ユニットの前記脚部材を前記支持部材の上面に載置させることで、前記浴室ユニットを前記建物ユニットに組み付ける工程と、
同じく建物施工現場への搬送前に、前記支持部材の上面において前記脚部材を仮固定具を用いて仮固定する工程と、
前記建物施工現場への搬送後に、前記脚部材の長さ調整によるユニット高さのレベル調整を行う工程と、
その後、前記支持部材の上面における前記脚部材の載置位置で、当該脚部材を前記支持部材に対して本固定する工程と、
を有することを特徴とする浴室ユニットの設置方法。
【請求項２】
前記支持部材は、前記脚部材を載置する載置部と、前記仮固定具に係合可能な係合部とを有しており、
前記建物施工現場への搬送前に、前記載置部の上において前記係合部に対して係合可能となる位置に前記仮固定具を取り付ける工程を有していることを特徴とする請求項１に記載の浴室ユニットの設置方法。
【請求項３】
前記建物ユニットにおいて互いに対向する一対の床梁にそれぞれ前記支持部材が取り付けられており、
前記一対の床梁に架け渡すようにして前記浴室ユニットを設置する設置方法であって、
前記建物施工現場への搬送前において、前記一対の床梁のそれぞれに取り付けられた前記支持部材に対し、前記一対の床梁の離間方向において前記脚部材の各々内側となる位置、又は前記脚部材の各々外側となる位置に前記仮固定具を配置することを特徴とする請求項２に記載の浴室ユニットの設置方法。
【請求項４】
前記建物施工現場への搬送後において、前記ユニット高さのレベル調整の前に前記仮固定具を取り外す工程を有していることを特徴とする請求項２又は３に記載の浴室ユニットの設置方法。
【請求項５】
前記支持部材は、前記床梁の側面部に対して固定される縦板部と、その縦板部から前記床梁の長手方向に直交する方向に延びる横板部とを備え、前記横板部が前記載置部となっており、
前記横板部において前記縦板部とは反対側の端部に、上方に突出する突出部が前記係合部として設けられるとともに、前記脚部材の長さ調整の作業に用いる工具を挿し入れ可能とする挿し入れ部が設けられていることを特徴とする請求項２乃至４のいずれか一項に記載の浴室ユニットの設置方法。
【請求項６】
前記仮固定具として、前記脚部材と前記係合部との間となる部分の長さが相違する複数の仮固定具が用意されており、
前記載置部の上に前記仮固定具を取り付ける際に、前記複数の仮固定具のうちからいずれかを選択して前記取り付けを実施することを特徴とする請求項２乃至５のいずれか一項に記載の浴室ユニットの設置方法。
【請求項７】
浴室ユニットが一体化されて設置される浴室用の建物ユニットであって、
前記浴室ユニットにはその下方に延び、長さ調整機能を有する複数の脚部材が設けられており、
床構造部を構成する床梁には前記脚部材を載置状態で支持する支持部材が複数取り付けられており、
前記支持部材の上面に前記浴室ユニットの前記脚部材を載置させた状態で、前記脚部材の長さ調整によるユニット高さのレベル調整を行う前において当該脚部材を仮固定するための仮固定部材を備えていることを特徴とする浴室用の建物ユニット。
【請求項８】
前記支持部材は、前記脚部材を載置する載置部と、前記仮固定部材に係合可能な係合部とを有しており、
前記仮固定部材は、前記載置部の上において前記係合部に対して係合可能となる位置に取り付けられるものであることを特徴とする請求項７に記載の浴室用の建物ユニット。
【請求項９】
前記建物ユニットにおいて互いに対向する一対の床梁にそれぞれ前記支持部材が取り付けられており、
前記一対の床梁に架け渡すようにして前記浴室ユニットが設置される建物ユニットであって、
前記仮固定部材は、前記一対の床梁のそれぞれに取り付けられた前記支持部材に対し、前記一対の床梁の離間方向において前記脚部材の各々内側となる位置、又は前記脚部材の各々外側となる位置に配置されるものであることを特徴とする請求項８に記載の浴室用の建物ユニット。
【発明の詳細な説明】
【技術分野】
【０００１】
本発明は、建物ユニットに対して浴室ユニットを設置する設置方法、及び浴室用の建物ユニットに関するものである。
【背景技術】
【０００２】
ユニット式建物において、複数の建物ユニットのいずれかに対して浴室ユニット（いわゆるユニットバス）を設置する技術が実用化されている（例えば特許文献１参照）。この場合、建物ユニットの床構造部分における床梁に、浴室ユニットの下部構造体であるユニット架台（又は防水パン）が組み付けられ、その組み付けにより建物ユニットに浴室ユニットが一体化されるようになっている。
【０００３】
また、浴室ユニットの支持構造として、ユニット架台にその下方に延びる複数のボルト脚を設けておく一方、建物ユニット側に、複数のボルト脚が載置される受け金具を設けておき、建物ユニット側の受け金具の上にボルト脚を載置することで浴室ユニットを支持するようにした技術が提案されている。また、浴室ユニットの設置に際しては、高さのレベル調整（水平調整）が必要となる。そのため、ボルト脚に長さ調整機能を付加しておき、施工現場での設置時にはボルト脚の長さ調整によりレベル調整を行い、その後に接着剤等によりボルト脚を受け金具に固定するようにしている。
【先行技術文献】
【特許文献】
【０００４】
【特許文献１】特開２０１０−１５９６１０号公報
【発明の概要】
【発明が解決しようとする課題】
【０００５】
ところで、建物の施工作業の効率アップを図るには、建物ユニットの製造工場にて建物ユニットに浴室ユニットを組み付け、その組み付けた状態で当該建物ユニットを建物の施工現場まで搬送することが考えられる。しかしながら、上記のとおり建物ユニット側の受け金具の上にボルト脚を載置することで浴室ユニットを支持する構成では、建物ユニットを搬送する際においてボルト脚の位置ずれが生じることが懸念される。
【０００６】
また、ボルト脚の位置ずれ防止を図るべく、建物ユニットに対して浴室ユニットを組み付けた時点、すなわち建物ユニットの搬送前に、接着剤等によりボルト脚を受け金具に固定することが考えられる。しかしながら、かかる場合には建物施工現場での建物ユニットの据え付け後において、浴室ユニットの高さのレベル調整を行いにくくなるという不都合の発生が懸念される。
【０００７】
本発明は、上記事情に鑑みてなされたものであり、浴室ユニットの好適なる設置を実現することができる浴室ユニットの設置方法、及び浴室用の建物ユニットを提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、建物ユニット（１０）に対して浴室ユニット（２０）を設置する浴室ユニットの設置方法であって、前記浴室ユニットにはその下方に延び、長さ調整機能を有する複数の脚部材（２５）が設けられており、前記建物ユニットの床梁（１２，１４）には前記脚部材を載置状態で支持する支持部材（１５）が複数取り付けられており、建物施工現場への搬送前に、前記浴室ユニットの前記脚部材を前記支持部材の上面に載置させることで、前記浴室ユニットを前記建物ユニットに組み付ける工程と、同じく建物施工現場への搬送前に、前記支持部材の上面において前記脚部材を仮固定具（５０）を用いて仮固定する工程と、前記建物施工現場への搬送後に、前記脚部材の長さ調整によるユニット高さのレベル調整を行う工程と、その後、前記支持部材の上面における前記脚部材の載置位置で、当該脚部材を前記支持部材に対して本固定する工程と、を有することを特徴とする。
【００１０】
浴室ユニットを設置した状態で建物ユニットを搬送する場合、その搬送の時点では浴室ユニットは本固定されていない。本固定されていない理由は建物施工現場での建物ユニットの据え付け後に、脚部材を用いて浴室ユニットの高さのレベル調整が行われるためである。それ故に建物ユニットの搬送時には浴室ユニットの位置ずれが懸念されるが、本発明の構成によれば、脚部材が仮固定具により仮固定された状態で建物ユニットが搬送されるため、浴室ユニットの位置ずれを抑制できる。また、建物施工現場への搬送前における脚部材の固定は、仮固定具を用いた「仮固定」にとどめられているため、建物施工現場へのユニット搬送後には浴室ユニットの高さのレベル調整を行うことが可能となっている。その結果、浴室ユニットの好適なる設置を実現できる。
【００１１】
第２の発明の浴室ユニットの設置方法は、前記支持部材は、前記脚部材を載置する載置部（３２）と、前記仮固定具に係合可能な係合部（４５）とを有しており、前記建物施工現場への搬送前に、前記載置部の上において前記係合部に対して係合可能となる位置に前記仮固定具を取り付ける工程を有していることを特徴とする。
【００１２】
支持部材は載置部と係合部とを有しており、支持部材の載置部の上に仮固定具を取り付けることで載置部の係合部と仮固定具との係合が可能となっている。この場合、仮固定具の取り付けといった簡易な作業にて脚部材の仮固定を実施できる。
【００１３】
第３の発明の浴室ユニットの設置方法は、前記建物ユニットにおいて互いに対向する一対の床梁（１２，１４）にそれぞれ前記支持部材が取り付けられており、前記一対の床梁に架け渡すようにして前記浴室ユニットを設置する設置方法であって、前記建物施工現場への搬送前において、前記一対の床梁のそれぞれに取り付けられた前記支持部材に対し、前記一対の床梁の離間方向において前記脚部材の各々内側となる位置、又は前記脚部材の各々外側となる位置に前記仮固定具を配置することを特徴とする。
【００１４】
建物ユニットにおいて互いに対向する一対の床梁にそれぞれ支持部材が取り付けられる構成では、それら各支持部材の上に載置される各脚部材について、梁離間方向における内側への移動が規制されるか、外側への移動が規制されるかすれば、浴室ユニットの位置ずれを抑制できる。この点、上記構成によれば、梁離間方向において脚部材の各々内側となる位置、又は脚部材の各々外側となる位置に仮固定具が配置されるため、支持部材ごとの各脚部材について梁離間方向における内側又は外側への移動が規制され、浴室ユニットの位置ずれを好適に抑制できる。この場合、個々の脚部材について梁離間方向の内外両側への移動を規制する必要がないため、仮固定具の構成としての簡素化を図ることもできる。
【００１５】
第４の発明の浴室ユニットの設置方法は、前記建物施工現場への搬送後において、前記ユニット高さのレベル調整の前に前記仮固定具を取り外す工程を有していることを特徴とする。
【００１６】
建物施工現場への搬送後には、ユニット高さのレベル調整の前に、仮固定具が取り外れされるため、レベル調整の作業に際して仮固定具が邪魔になることを抑制できる。また、仮固定具を治具として使い回すことが可能となる。
【００１７】
第５の発明の浴室ユニットの設置方法は、前記支持部材は、前記床梁の側面部に対して固定される縦板部（３１）と、その縦板部から前記床梁の長手方向に直交する方向に延びる横板部（３２）とを備え、前記横板部が前記載置部となっており、前記横板部において前記縦板部とは反対側の端部に、上方に突出する突出部（４５）が前記係合部として設けられるとともに、前記脚部材の長さ調整の作業に用いる工具（Ｗ）を挿し入れ可能とする挿し入れ部（ＳＷ）が設けられていることを特徴とする。
【００１８】
支持部材の横板部において縦板部とは反対側の端部に突出部が設けられているため、その突出部により、脚部材が横板部の先端部から滑り落ちることを好適に抑制できる。また、脚部材の長さ調整の作業時には、レンチ等の工具が用いられると想定される。この点、横板部において縦板部とは反対側の端部に工具挿し入用の挿し入れ部が設けられているため、長さ調整作業を行う上で好都合な構成となっている。
【００１９】
第６の発明の浴室ユニットの設置方法は、前記仮固定具として、前記脚部材と前記係合部との間となる部分の長さが相違する複数の仮固定具が用意されており、前記載置部の上に前記仮固定具を取り付ける際に、前記複数の仮固定具のうちからいずれかを選択して前記取り付けを実施することを特徴とする。
【００２０】
支持部材の載置部上における脚部材の載置位置は、全ての脚部材について同一ではなく、載置位置が相違するものが含まれると考えられる。この点、脚部材と係合部との間となる部分の長さが相違する複数の仮固定具が用意されており、それらが選択的に用いられるため、脚部材の載置位置が相違するものが含まれていても都度好適な対処が可能となる。この場合、仮固定具を取り付けた状態でのがたつきを極力抑えることが可能となる。
【００２１】
第７の発明の浴室用の建物ユニットは、浴室ユニット（２０）が一体化されて設置される浴室用の建物ユニット（１０）であって、前記浴室ユニットにはその下方に延び、長さ調整機能を有する複数の脚部材（２５）が設けられており、床構造部を構成する床梁（１２，１４）には前記脚部材を載置状態で支持する支持部材（１５）が複数取り付けられており、前記支持部材の上面に前記浴室ユニットの前記脚部材を載置させた状態で、前記脚部材の長さ調整によるユニット高さのレベル調整を行う前において当該脚部材を仮固定するための仮固定部材（５０）を備えていることを特徴とする。
【００２２】
上記構成では、仮固定部材によって、支持部材の上面に浴室ユニットの脚部材を載置させた状態で、脚部材の長さ調整によるユニット高さのレベル調整を行う前において当該脚部材が仮固定される。この仮固定によって、建物ユニットにおいてユニット高さのレベル調整前であって、浴室ユニットの位置ずれが生じるおそれがある場合において、その位置ずれを抑制できる。例えば、建物ユニットの搬送時において浴室ユニットの位置ずれを抑制できる。また、仮固定部材は、ユニット高さのレベル調整前に脚部材を「本固定」せず「仮固定」するものであるため、建物施工現場への搬送後において浴室ユニットの高さのレベル調整を行うことが可能となっている。その結果、浴室ユニットの好適なる設置を実現できる。
【００２３】
第８の発明の浴室用の建物ユニットは、前記支持部材は、前記脚部材を載置する載置部（３２）と、前記仮固定部材に係合可能な係合部（４５）とを有しており、前記仮固定部材は、前記載置部の上において前記係合部に対して係合可能となる位置に取り付けられるものであることを特徴とする。
【００２４】
上記構成では、支持部材が載置部と係合部とを有しており、載置部の上において係合部に対して係合可能となる位置に仮固定部材が取り付けられている。この場合、仮固定部材の取り付けといった簡易な作業にて脚部材の仮固定を実施できる。
【００２５】
第９の発明の浴室用の建物ユニットは、前記建物ユニットにおいて互いに対向する一対の床梁にそれぞれ前記支持部材が取り付けられており、前記一対の床梁に架け渡すようにして前記浴室ユニットが設置される建物ユニットであって、前記仮固定部材は、前記一対の床梁のそれぞれに取り付けられた前記支持部材に対し、前記一対の床梁の離間方向において前記脚部材の各々内側となる位置、又は前記脚部材の各々外側となる位置に配置されるものであることを特徴とする。
【００２６】
建物ユニットにおいて互いに対向する一対の床梁にそれぞれ支持部材が取り付けられる構成では、それら各支持部材の上に載置される各脚部材について、梁離間方向における内側への移動が規制されるか、外側への移動が規制されるかすれば、浴室ユニットの位置ずれを抑制できる。この点、上記構成によれば、梁離間方向において脚部材の各々内側となる位置、又は脚部材の各々外側となる位置に仮固定部材が配置されるため、支持部材ごとの各脚部材について梁離間方向における内側又は外側への移動が規制され、浴室ユニットの位置ずれを好適に抑制できる。この場合、個々の脚部材について梁離間方向の内外両側への移動を規制する必要がないため、仮固定部材の構成としての簡素化を図ることもできる。
【００２７】
なお、梁離間方向において脚部材の各々内側となる位置に仮固定部材が配置される構成では、その仮固定部材の存在により、レベル調整の作業に際して仮固定具が邪魔になることが懸念される。この点、仮固定部材が支持部材からの取り外しが可能となっているとよく、その取り外しにより、レベル調整の作業に際して仮固定具が邪魔になることを抑制できる。
【図面の簡単な説明】
【００２８】
【図１】建物ユニットの床構造部分の構成を示す平面図。
【図２】建物ユニットに浴室ユニットが設置された状態を示す概略図。
【図３】建物ユニットの床構造部分及びユニット架台の分解斜視図。
【図４】受け金具の構成を示す図。
【図５】受け金具の上にユニット架台を設置した状態を示す図。
【図６】受け金具とボルト脚と仮固定プレートとを示す斜視図。
【図７】ボルト脚の根元を本固定した状態を示す図。
【図８】仮固定具の変形例を示す図。
【図９】仮固定具の変形例を示す図。
【発明を実施するための形態】
【００２９】
以下、本発明を具体化した一実施形態を図面に基づいて説明する。本実施形態では、複数の建物ユニットを組み合わせて構築されるユニット式建物においていずれかの建物ユニットに浴室ユニットが設置される構成としている。建物ユニット及びユニット式建物の構成は周知であるため、図示による説明は割愛するが、簡単に説明をしておく。建物ユニットは、四隅の柱と、それら各柱の上端部を連結する天井大梁と、各柱の下端部を連結する床大梁とを有し、全体として直方体状に形成されている。この建物ユニットはユニット製造工場で製作された後、トラック等の搬送手段によって建物施工現場まで搬送される。そして、建物施工現場において建物ユニットがクレーン等の据え付け手段を用いて据え付けられるとともに、隣接する建物ユニットの柱同士が連結部材（ドッキングプレート等）により連結されることで一体の建物本体が構築されるようになっている。
【００３０】
図１は、浴室ユニットの設置対象となる建物ユニット（浴室用の建物ユニット）の床構造部分の構成を示す平面図であり、図２は、建物ユニットに浴室ユニットが設置された状態を示す概略図である。また、図３は、建物ユニットの床構造部分及びユニット架台の分解斜視図である。
【００３１】
図１に示す建物ユニット１０において、床構造部は、当該建物ユニット１０の四隅となる位置に配置される柱１１を有し、その柱１１に対して互いに直交する２方向に床大梁１２が連結されている。柱１１は四角筒状の角形鋼よりなる。また、床大梁１２は断面コ字状の溝形鋼よりなり、その開口部が向き合うようにして、すなわち溝部をユニット内側に向けるようにして設置されている。
【００３２】
床構造部には、浴室ユニットが組み入れられる浴室スペースＳ１と、それに隣接して設けられる脱衣所スペースＳ２とが図示のごとく定められている。脱衣所スペースＳ２に相当する部位には、各床大梁１２のうち長辺側となる一対の床大梁１２の間に架け渡した状態で複数の床小梁１３が設けられている。床小梁１３は、例えば四角筒状の角形鋼よりなる床梁である。
【００３３】
また、浴室スペースＳ１に相当する部位には、短辺側の床大梁１２と床小梁１３との間に架け渡した状態で受け小梁１４が設けられている。受け小梁１４は、例えば四角筒状の角形鋼よりなる床梁である。この場合、浴室スペースＳ１では、長辺側の床大梁１２と受け小梁１４とが互いに対向し、それら床大梁１２及び受け小梁１４にそれぞれ複数の受け金具１５が取り付けられている。
【００３４】
そして、図２に示すように、受け金具１５により支持された状態で浴室ユニット２０が設置されている。浴室ユニット２０は、受け金具１５により支持されるユニット架台２１と、そのユニット架台２１の上に設置される浴槽２２と、浴室空間ＳＢを形成する壁パネル２３及び天井パネル２４とを有している。ユニット架台２１は浴室ユニット２０の下部構造体に相当し、このユニット架台２１により上記の浴槽２２に加え、洗い場床材等が支持されるようになっている。
【００３５】
ユニット架台２１は、その下方に延びる脚部材としての複数のボルト脚２５を有しており、そのボルト脚２５が各受け金具１５の上に載置されることで、建物ユニット１０に対して浴室ユニット２０が据え付けられるようになっている。この場合、浴室ユニット２０は、一対の床梁（床大梁１２、受け小梁１４）に架け渡すようにして設置される。ボルト脚２５は、建物ユニット１０の床構造部に対して浴室ユニット２０を所定高さに保持する高さ保持機能と、浴室ユニット２０の高さのレベル調整（水平調整）を行うためのレベル調整機能（長さ調整機能）とを有している。
【００３６】
図３に示すように、ユニット架台２１は、複数のフレーム材（長尺状の角材）が互いに直交する向きに連結されて構成されており、上段部２７と下段部２８とを有している。上段部２７は浴室内において洗い場側となる部位に相当し、下段部２８は浴槽側となる部位に相当する。そして、上段部２７及び下段部２８における各フレーム材には、下方に延びる複数のボルト脚２５が取り付けられている。本実施形態では、上段部２７に４つのボルト脚２５が設けられ、下段部２８に２つのボルト脚２５が設けられている。なお、上段部２７及び下段部２８は上下方向に段差状に設けられていることから、それら各部２７，２８のボルト脚２５は長さが相違しており、「上段部２７側の脚長さ＞下段部２８側の脚長さ」となっている。
【００３７】
ユニット架台２１の下方には、浴室ユニット２０の床下部分を断熱する床下断熱材２９が配設されている。床下断熱材２９は、ポリエチレンフォーム等の板状断熱材よりなり、洗い場床及び浴槽の下方に配設される。床下断熱材２９は複数に分割されて構成されており、建物ユニット１０の床構造部に組み付けた状態で受け金具１５や排水用配管との干渉避けのための切欠２９ａが複数箇所に設けられている。
【００３８】
次に、受け金具１５に関する構成を図４を用いて説明する。図４において（ａ）は床大梁１２に固定される受け金具１５（便宜上、１５Ａとする）を示し、（ｂ）は受け小梁１４に固定される受け金具１５（便宜上、１５Ｂとする）を示している。
【００３９】
図４（ａ）に示すように、受け金具１５Ａは、互いに直交する向きに配置される縦板部３１Ａ及び横板部３２Ａと、それら各板部３１Ａ，３２Ａに各々連結される２枚の連結板部３３Ａとを有しており、それらが溶接等により互いに固定されている。連結板部３３Ａは略三角形状をなしており、この連結板部３３Ａにより縦板部３１Ａ及び横板部３２ＡがＬ字状に連結されている。
【００４０】
そして、受け金具１５Ａが中間金具３４を介して床大梁１２に固定されている。具体的には、中間金具３４は、床大梁１２に対して固定される上下一対の固定部３５と、それら固定部３５の間となる側板部３６とを有している。中間金具３４は、側板部３６が鉛直方向に延びるようにして床大梁１２に対して固定されている。中間金具３４に対する受け金具１５Ａの固定は、中間金具３４の側板部３６に取り付けられた上下２カ所の固定ナット３７Ａ（ウェルドナット）と、その固定ナット３７Ａに対してねじ入れられるボルト３８Ａとを用いて行われる。受け金具１５Ａを床大梁１２に固定した状態（図４（ａ）の状態）では、受け金具１５Ａの横板部３２Ａが水平方向に延びている。この横板部３２Ａの上面がボルト脚２５を載置する載置面となっている。
【００４１】
また、図４（ｂ）に示すように、受け金具１５Ｂは、受け金具１５Ａと同様の構成を有している。簡単に説明すると、受け金具１５Ｂは、縦板部３１Ｂと横板部３２Ｂと連結板部３３Ｂとを有しており、連結板部３３Ｂにより、縦板部３１Ｂ及び横板部３２ＢがＬ字状に連結されている。そして、受け小梁１４に対する受け金具１５Ｂの固定は、受け小梁１４に取り付けられた上下２カ所の固定ナット３７Ｂ（ウェルドナット）と、その固定ナット３７Ｂに対してねじ入れられるボルト３８Ｂとを用いて行われる。受け金具１５Ｂを受け小梁１４に固定した状態（図４（ｂ）の状態）では、受け金具１５Ｂの横板部３２Ｂが水平方向に延びている。この横板部３２Ｂの上面がボルト脚２５を載置する載置面となっている。
【００４２】
なお、受け小梁１４の内部に固定ナット３７Ｂを取り付けることを考慮すると、受け小梁１４は、四角筒状の角形鋼でなく、溝形鋼に対して後付けで（固定ナット３７Ｂの取り付け後に）溝開放側に板材（図の３９）を固定する構成であるとよい。また、受け小梁１４は必ずしも受け金具１５Ｂにボルト３８Ｂ及びナット３７Ｂにより固定する必要はなく、例えば溶接により固定してもよい。
【００４３】
受け金具１５Ａ，１５Ｂは、それぞれ建物ユニット１０の下端位置である床大梁１２の下面位置よりも下方にはみ出ないようにして取り付けられている。これにより、受け金具１５がユニット運搬の支障となる事態が生じないようになっている。
【００４４】
図５に示すように、ボルト脚２５は、ユニット架台２１（フレーム材）の下面に固定された固定ナット４１にねじ入れられた状態で取り付けられており、ボルト脚２５の下端部には、当該ボルト脚２５をレンチ等の工具により回動させるための回動ナット４２が一体に取り付けられている。回動ナット４２の下面は、横板部３２Ａ，３２Ｂの上面に載置される被載置面となっている。
【００４５】
各受け金具１５（１５Ａ，１５Ｂ）では、横板部３２Ａ，３２Ｂが、床梁（１２，１４）の長手方向に直交する方向に縦板部３１Ａ，３１Ｂから延びるように構成されている。また、各受け金具１５（１５Ａ，１５Ｂ）は、図５の左右方向に見てそれぞれ内側に向けて延びるようにして配置されている。
【００４６】
ところで、本実施形態では、建物の施工順序としてユニット製造工場において建物ユニット１０に対して浴室ユニット２０を組み付け、その状態で当該建物ユニット１０を建物施工現場にトラック等で搬送することとしている。かかる場合、建物ユニット１０側の受け金具１５に対して浴室ユニット２０側のボルト脚２５を載置した状態でユニット搬送を行うと、ボルト脚２５の位置ずれが生じることが懸念される。そこで本実施形態では、建物施工現場への搬送前において、仮固定具としての仮固定プレート５０を用い、受け金具１５の上面にボルト脚２５を仮固定する構成を採用している。
【００４７】
図６は、受け金具１５とボルト脚２５と仮固定プレート５０とを示す斜視図である。図５には受け金具１５の上に仮固定プレート５０がセットされた状態が示されている。
【００４８】
図５及び図６に示すように、仮固定プレート５０は、鋼鉄製の平板材よりなり、各受け金具１５において横板部３２Ａ，３２Ｂの内側先端部分とボルト脚２５との間となる位置に配置されるようになっている。より具体的には、横板部３２Ａ，３２Ｂの内側先端部には、上方に突出する突出部４５が設けられており、その突出部４５とボルト脚２５との間に仮固定プレート５０がセットされるようになっている。仮固定プレート５０がセットされた状態では、その仮固定プレート５０が突出部４５に係合可能（当接可能）となっている。
【００４９】
突出部４５は、横板部３２Ａ，３２Ｂの内側先端部（すなわち縦板部３１Ａ，３１Ｂとは反対側の端部）において互いに離間した二カ所に設けられており、その２つの突出部４５の間が、工具Ｗを挿し入れるための挿し入れスペースＳＷ（挿し入れ部）となっている。
【００５０】
仮固定プレート５０のボルト脚２５側の端部には、受け金具１５の上面に仮固定プレート５０をセットした状態でボルト脚２５が入り込む凹部５１が形成されている。この凹部５１は例えば半円状をなしている。ただし、凹部５１が三角状、矩形状をなしていてもよい。
【００５１】
また、仮固定プレート５０のボルト脚２５側の先端部には、下側が後退した向きの傾斜面５２が形成されている。こうして傾斜面５２が形成されていることにより、ボルト脚２５に対して仮固定プレート５０が接触していたとしてもその接触部分の当たりが小さくなり、ひいては仮固定プレート５０の取り外しが困難になるという不都合が抑制されるようになっている。なお、傾斜先端部は、仮固定プレート５０の上面と同じ高さ位置以外に、仮固定プレート５０の厚さ方向の中間位置に設けられていてもよい。要は、仮固定プレート５０の傾斜先端部が、ボルト脚２５の回動ナット４２の側面に当たるように構成されていればよい。
【００５２】
また、仮固定プレート５０の傾斜面５２はプレート取り外し時の引っ掛け部としても機能する。例えば、建物ユニット１０の搬送後に、仮固定プレート５０がボルト脚２５と突出部４５との間で挟み込んでその取り外しが困難となった場合でも、傾斜面５２に引っ掛け工具を引っ掛けることで仮固定プレート５０を容易に取り外すことが可能となる。なお、仮固定プレート５０には、取り外し時の引掛け部として、傾斜面５２以外に引掛け孔５３（しの孔）が形成されている。
【００５３】
受け金具１５の上面におけるボルト脚２５の載置位置はボルト脚２５ごとに決まっており、そのボルト脚２５の載置位置に応じた寸法の仮固定プレート５０が適宜使用されるようになっている。すなわち、図５では、受け金具１５Ａ用の仮固定プレート５０と受け金具１５Ｂ用の仮固定プレート５０とで互いの寸法が相違しており、ボルト脚２５と突出部４５との間に挟まれる部分の長さが、受け金具１５Ａ用では「Ｌ１」、受け金具１５Ｂ用では「Ｌ２」となっている。本実施形態では、仮固定プレート５０として、ボルト脚２５と突出部４５との間に挟まれる部分の長さが相違する複数の仮固定プレート５０が用意されている。
【００５４】
なお、建物ユニット１０に対して浴室ユニット２０が据え付けられる際には、ユニット架台２１の所定部位が床大梁１２に当接するなどすることで、受け金具１５の上面におけるボルト脚２５の位置が定められるようになっている。
【００５５】
次に、建物ユニット１０に対する浴室ユニット２０の設置方法について説明する。
【００５６】
まずユニット製造工場において、建物ユニット１０を製造する。このとき、図１に示すように、建物ユニット１０の主構造となる床大梁１２に対して床小梁１３を組み付けるとともに、図示のごとく受け小梁１４を組み付ける。そして、浴室スペースＳ１側の床大梁１２及び受け小梁１４において所定位置に各々受け金具１５を取り付ける。
【００５７】
その後、リフタ等の移送手段を用いて浴室ユニット２０を建物ユニット１０の床構造部に組み付ける。このとき、浴室ユニット２０は、ユニット架台２１や浴槽２２、壁パネル２３、天井パネル２４が一体化された状態でユニット床構造部に組み付けられる。その組み付け時には、ユニット架台２１から下方に延びるボルト脚２５が各受け金具１５の上面の所定位置に載置される。
【００５８】
その後、受け金具１５の上面においてボルト脚２５を仮固定プレート５０を用いて仮固定する。このとき、作業者は、ボルト脚２５と突出部４５との間に挟まれる部分の長さが相違する複数の仮固定プレート５０の中からいずれかを選択し、その選択した仮固定プレート５０を、ボルト脚２５と突出部４５との間の位置にセットすることで仮固定を実施する。またこのとき、互いに離間する一対の床梁（床大梁１２、受け小梁１４）の離間方向においてボルト脚２５の各々内側となる位置に、ボルト脚２５と突出部４５との間に挟んで仮固定プレート５０をそれぞれ配置する（図５の状態）。なお本実施形態では、各ボルト脚２５をそれぞれ仮固定プレート５０を用いて仮固定するようにしている。
【００５９】
その後、建物ユニット１０を建物施工現場にトラック等により運搬し、据え付けを実施する。そして、仮固定プレート５０の取り外しを行う。その後、ボルト脚２５の長さ調整によるユニット高さのレベル調整を行う。このとき、レンチ等の工具Ｗを用い、ボルト脚２５の回動ナット４２を回動させることでレベル調整を行う（図６参照）。レベル調整に際しては水平器を用いて水平度を確認しながら調整を行う。
【００６０】
その後、受け金具１５の上面におけるボルト脚２５の載置位置で、受け金具１５に対してボルト脚２５を本固定する。このとき、図７に示すように、ボルト脚２５の回動ナット４２（ボルト脚２５の根元部分）に対して接着剤や硬化剤を付けて、ボルト脚２５の本固定を実施する。
【００６１】
こうした一連のユニット設置作業の後、床下側から床下断熱材２９の取り付けを実施する。
【００６２】
以上詳述した本実施形態によれば、以下の優れた効果が得られる。
【００６３】
浴室ユニット２０を設置した状態で建物ユニット１０を搬送する場合、その搬送の時点では浴室ユニット２０は本固定されていない。本固定されていない理由は建物施工現場での建物ユニット１０の据え付け後に、ボルト脚２５を用いて浴室ユニット２０の高さのレベル調整が行われるためである。それ故に建物ユニット１０の搬送時には浴室ユニット２０の位置ずれが懸念されるが、本実施形態の構成によれば、ボルト脚２５が仮固定プレート５０により仮固定された状態で建物ユニット１０が搬送されるため、浴室ユニット２０の位置ずれを抑制できる。また、建物施工現場への搬送前におけるボルト脚２５の固定は、仮固定プレート５０を用いた「仮固定」にとどめられているため、建物施工現場へのユニット搬送後には浴室ユニット２０の高さのレベル調整を行うことが可能となっている。その結果、浴室ユニット２０の好適なる設置を実現できる。
【００６４】
受け金具１５において、ボルト脚２５を載置する載置面には突出部４５が設けられており、受け金具１５の載置面の上に仮固定プレート５０を取り付ける際には、載置面上の突出部４５を用いて仮固定プレート５０を所定位置に取り付けることができる。この場合、ボルト脚２５と突出部４５との間に挟まれた状態で仮固定プレート５０を取り付けることができ、簡易な作業にてボルト脚２５の仮固定を実施できる。
【００６５】
建物ユニット１０において互いに対向する一対の床梁（１２，１４）にそれぞれ受け金具１５が取り付けられる構成では、それら各受け金具１５の上に載置される各ボルト脚２５について、梁離間方向における内側への移動が規制されれば、浴室ユニット２０の位置ずれを抑制できる。この点、上記構成によれば、梁離間方向においてボルト脚２５の各々内側となる位置に、ボルト脚２５と突出部４５との間に挟んで仮固定プレート５０が配置されるため、受け金具１５ごとの各ボルト脚２５について梁離間方向における内側への移動が規制され、浴室ユニット２０の位置ずれを好適に抑制できる。この場合、個々のボルト脚２５について梁離間方向の内外両側への移動を規制する必要がないため、仮固定プレート５０の構成としての簡素化を図ることもできる。
【００６６】
また、建物施工現場への搬送後には、ユニット高さのレベル調整の前に仮固定プレート５０が取り外される。そのため、レベル調整の作業に際して仮固定プレート５０が邪魔になることを抑制できる。また、仮固定プレート５０を治具として使い回すことが可能となる。
【００６７】
受け金具１５の横板部３２において縦板部３１とは反対側の端部に突出部４５が設けられているため、その突出部４５により、ボルト脚２５が横板部３２の先端部から滑り落ちることを好適に抑制できる。
【００６８】
また、横板部３２において縦板部３１とは反対側の端部に工具挿し入用の挿し入れスペースＳＷが設けられているため、ボルト脚２５の長さ調整作業を行う上で好都合な構成となっている。
【００６９】
ボルト脚２５と突出部４５との間に挟まれる部分の長さが相違する複数の仮固定プレート５０を用意しておき、それらを選択的に用いるようにしたため、ボルト脚２５の載置位置が相違するものが含まれていても都度好適な対処が可能となる。つまり、仮固定プレート５０を取り付けた状態でのがたつきを極力抑えることが可能となる。
【００７０】
本発明は上記実施形態の記載内容に限定されず、例えば次のように実施されてもよい。
【００７１】
・仮固定具（仮固定部材）の構成を以下のように変更することも可能である。図８に示す構成では、受け金具１５の横板部３２において先端側（縦板部３１とは反対側）の位置に孔部６１が形成されている。また、仮固定プレート５０には、孔部６１に挿入される突起部６２が形成されている。この場合、仮固定プレート５０の突起部６２が横板部３２の孔部６１に挿入されることで、仮固定プレート５０（突起部６２）が横板部３２の孔部壁面に係合可能（当接可能）となっている。なお、建物ユニット１０の搬送を考慮すると、突起部６２が横板部３２の下面から突出しないようにするか、突起部６２が床大梁１２の下面よりも下方に延びないように受け金具１５の取付位置を上方に変更するとよい。また、仮固定プレート５０の取り外し時には、突起部６２を下方から工具で叩く等して同プレート５０を取り外すことができる。
【００７２】
・上記実施形態では、一対の床梁のそれぞれに取り付けられた受け金具１５に対し、一対の床梁の離間方向においてボルト脚２５の各々内側となる位置に仮固定具（仮固定部材）を配置する構成としたが、これを変更し、一対の床梁の離間方向においてボルト脚２５の各々外側となる位置に仮固定具（仮固定部材）を配置する構成としてもよい。具体的には、図９（ａ）に示すように、受け金具１５の横板部３２上に、縦板部３１に沿うようにして仮固定片６５を取り付ける構成とする。図示の構成では、仮固定片６５の縦断面が三角形状をなしており、内寄りの頂部分に、ボルト脚２５が入り込む凹部６６が形成されている。ただし、仮固定片６５の形状は任意であり、平板状をなすものであってもよい。上記構成では、受け金具１５ごとの各ボルト脚２５について梁離間方向における外側への移動が規制され、浴室ユニット２０の位置ずれを好適に抑制できる。
【００７３】
仮固定片６５は、取り外し可能であるとよい。この場合、建物ユニット１０の搬送前に仮固定片６５が取り付けられ、搬送後に取り外される。なお、図９（ａ）の構成では、縦板部３１が、仮固定片６５に係合可能な係合部に相当する。
【００７４】
また、仮固定片６５は、受け金具１５に溶接される等して取り外し不能に固定されていてもよい。この場合、受け金具１５の横板部３２上にボルト脚２５を載置することで浴室ユニット２０を建物ユニット１０に組み付ける際に、ボルト脚２５を仮固定片６５の凹部６６に入り込ませ仮固定することとなる。したがって、この場合、浴室ユニット２０の組み付けと同時にボルト脚２５の仮固定が行われることとなる。ここで、仮固定片６５には、梁離間方向における内側（換言すると凹部６６）に向けて下方傾斜する傾斜面６５ａが形成されているため、ボルト脚２５を受け金具１５の横板部３２上に載置する際、その傾斜面６５ａ上にボルト脚２５を沿わせながら当該ボルト脚２５を凹部６６に導くことができる。これにより、受け金具１５上に仮固定片６５が固定されている構成においても、比較的容易にボルト脚２５を凹部６６に入り込ませて仮固定することができる。
【００７５】
また、図９（ｂ）に示すように、受け金具１５の横板部３２上に、略半円状の仮固定片６７を固定する構成としてもよい。この仮固定片６７は、ボルト脚２５が載置される所定位置に合わせて設けられるものであり、その凹み部分にボルト脚２５を入り込ませることで仮固定する構成となっている。
【００７６】
・例えば、受け金具１５の横板部３２上にて、梁離間方向におけるボルト脚２５を挟んだ両側にそれぞれ仮固定具を配置し、それら両仮固定具によりボルト脚２５について梁離間方向の両側への移動を規制するようにしてもよい。例えば、仮固定プレート５０と仮固定片６７（図９（ｂ）参照）とをそれぞれボルト脚２５を挟んだ両側に配置してかかる両側規制を行うことが考えられる。この場合、例えば対向する各床梁（床大梁１２及び受け小梁１４）のうち一方側の床梁に取り付けられた２つの受け金具１５上に載置されるボルト脚２５を両仮固定具５０，６７を用いて仮固定するようにしても、浴室ユニット２０の位置ずれを抑制することが可能となる。
【００７７】
・上記実施形態では、ボルト脚２５を受け金具１５上に載置することで浴室ユニット２０を建物ユニット１０に組み付けた後、ボルト脚２５を仮固定プレート５０を用いて仮固定するようにしたが、この手順を変更してもよい。例えば、まず仮固定プレート５０を受け金具１５上の所定位置に載置し、その後ボルト脚２５を受け金具１５上に載置することで浴室ユニット２０を建物ユニット１０に組み付けてもよい。この場合、浴室ユニット２０の組み付けの際に、各ボルト脚２５をそれぞれ仮固定プレート５０の凹部５１に入り込ませて仮固定を行うこととなる。つまり、この場合、建物ユニット１０への浴室ユニット２０の組み付けと、ボルト脚２５の仮固定とが同時に行われることとなる。
【００７８】
・上記実施形態では、浴室ユニット２０の各ボルト脚２５をそれぞれ仮固定プレート５０を用いて仮固定したが、必ずしもすべてのボルト脚２５を仮固定する必要はない。例えば、対向する一対の床梁（床大梁１２及び受け小梁１４）のそれぞれに取り付けられた受け金具１５のうち、互いに対角となる位置関係で配置される２つの受け金具１５に載置されるボルト脚２５のみを仮固定プレート５０で仮固定するようにしてもよい。その場合でも、それら各ボルト脚２５について梁離間方向における内側への移動が規制できるため、浴室ユニット２０の位置ずれを好適に抑制できる。また、この場合、各ボルト脚２５をそれぞれ仮固定プレート５０で仮固定する場合と比べ、仮固定作業の工数低減を図ることができる。
【００７９】
・仮固定プレート５０を、建物ユニット１０の据え付け後において取り付け状態のままとしてもよい。
【００８０】
・上記実施形態では、床大梁１２と受け小梁１４とを一対の床梁とし、その一対の床梁に架け渡すようにして浴室ユニット２０を設置する構成としたが、これを変更してもよい。例えば、対向する一対の床大梁１２に架け渡すようにして浴室ユニット２０を設置する構成や、対向する一対の床小梁１３に架け渡すようにして浴室ユニット２０を設置する構成としてもよい。
【００８１】
・上記実施形態では、浴室ユニット２０が下部構造体としてのユニット架台２１を有し、そのユニット架台２１に下方に延びるボルト脚２５を設ける構成としたが、この構成を変更し、浴室ユニット２０が下部構造体としての防水パンを有し、その防水パンに下方に延びるボルト脚２５を設ける構成としてもよい。
【符号の説明】
【００８２】
１０…建物ユニット、１２…床大梁（床梁）、１４…受け小梁（床梁）、１５…受け金具（支持部材）、２０…浴室ユニット、２５…ボルト脚（脚部材）、３１…縦板部、３２…横板部（載置部）、４５…突出部（係合部）、５０…仮固定プレート（仮固定具、仮固定部材）、６５，６７…仮固定片（仮固定具、仮固定部材）、ＳＷ…挿し入れスペース。
【図１】
2014125860.tif 000003
【図２】
2014125860.tif 000004
【図３】
2014125860.tif 000005
【図４】
2014125860.tif 000006
【図５】
2014125860.tif 000007
【図６】
2014125860.tif 000008
【図７】
2014125860.tif 000009
【図８】
2014125860.tif 000010
【図９】
2014125860.tif 000011